(57)【要約】【課題】初心者にも簡単で熟練を必要としない、かつスピーディにラベルが剥せるラベル剥し器を提供すること。【解決手段】机などの平面部に置かれる板２と、これから立ち上って来るラベル剥し板３とから成り、ラベル剥し板３はその先端部に剥離紙を押し付けて急に曲げる事によってラベルの端部に剥れ部を作るものである様に構成する【選択図】図１
2020197692.tif 000002
【特許請求の範囲】
【請求項１】
机上などの平面部に置かれる板と、これから立ち上って来るラベル剥し板とから成り、前記ラベル剥し板はその先端部に多数のラベルが貼られた剥離紙を押し付けて急に曲げる事によってラベルの端部に剥れ部を作るラベル剥し板である事を特徴とするラベル剥し器。
【請求項２】
剥離紙をラベル剥し板に固定する磁石、両面テープの様な固定具を備えた請求項１記載のラベル剥し器。
【請求項３】
机上などの平面部に置かれる板と、この板の両端において立ち上って来るラベル剥し板とから成る請求項１又は２記載のラベル剥し器。
【請求項４】
ラベル剥し板の先端部の長手方向中央部の高さを僅かに低く構成した請求項１ないし３のいずれかに記載のラベル剥し器
【発明の詳細な説明】
【技術分野】
【０００１】  本発明は多数のラベルが貼られた剥離紙からラベルを剥すに当り、簡単で熟練を必要としない低コストなラベル剥し器に関するものである。
【背景技術】
【０００２】  封筒や商品の包みなどには住所、商品名、個数などを記したラベルが貼られており、これは剥離紙から剥す必要があり、何万と云う規模なら別であるが大抵は手作業で剥すが、スピードと熟練が要求され、初心者には困難である。この為、モーターを使うなどしてラベル剥しをする器械もあるが、高価である。
【発明の開示】
【発明が解決しようとする課題】
【０００３】  本発明の目的は、初心者にも簡単で熟練を必要としない、かつスピーディにラベルが剥せるラベル剥し器を提供する事であり、モーターを使用しないなど低コストなラベル剥し器を提供する事である。
【課題を解決する為の手段】
【０００４】  机などの平面部に置かれる板とこれから立ち上って来るラベル剥し板とから成り、剥離紙を押し付けて急に曲げる事によってラベルの端部に剥れ部を作る様にした。
又、剥離紙をラベル剥し板に固定する磁石や両面テープの様な固定具を備えて、ラベルを片手で剥せる様にも構成した。
【発明の効果】
【０００５】  本発明によればラベル剥し板の先端部に剥離紙を押し付けて急に曲げる事によってラベルの端部に剥れ部を作り、この剥れ部に指を当てればラベルを簡単に剥す事ができる。従って熟練を必要とせず作業能率も向上する。又、磁石や両面テープなどの固定具により剥離紙を固定すればラベルを片手で剥す事ができるから、もう一方の手で封筒などのラベルを貼る商品を手元に取り寄せ、この２つの動作を同時に行なえるから、一段と能率が向上する。
【発明を実施する為の形態】
【０００６】  図１は本発明によるラベル剥し器で、図１（イ）はＬ字形、図１（ロ）はＴ字形であり、ラベル剥し器１（１′）は机などの平面部に置かれる板２（２′）とこれから立ち上って来るラベル剥し板３（３′）とから成る。ラベル剥し器１（１′）はプラスチック製、磁石に反応する鉄製などとする。ラベル剥し器１では板２とラベル剥し板３との板厚が異なっているが、同じ板厚でも良い。ラベルが多数貼られた剥離紙は図２（ロ）の様にラベル間に透き間がないもの、図５（ハ）の様に３ｍｍ位の透き間があるものがあり、前者の場合は図１（イ）の様にラベル剥し板３（板厚は３ｍｍ位）を使ってラベルを剥し、後者の場合は図１（イ）においてラベル剥し器１を９０°回転させ、板２（板厚は５ｍｍ位）を使ってラベルを剥す（ラベル剥し板３を机などの平面部に置く）。次に使い方を説明すると、図２（イ）、（ロ）の様に多数のラベル５が貼られた剥離紙４のラベル配列線６を折ってから剥離紙の両端部を持って折り目を図２（ハ）の如くラベル剥し板３の先端部に乗せ、図２（ニ）の様に剥離紙４を下方へ強く引きながら右方へしごく（右手を下方へ引く）、すると剥離紙４はラベル剥し板３の先端部形状通りに曲がるがラベルは曲らないので、左側のラベルは端部が剥れ、剥れ部が生ずる。従って、この剥れ部に指を引っ掛けると簡単にラベルを剥す事ができる。左側のラベルを全部剥して使い終ったら図２（ホ）の如く剥離紙４を左方へしごくと（左手を下方へ引く）、図２（ニ）と同じ理由により右側のラベルは端部が剥れ、剥れ部が生ずる。従って、この剥れ部に指を引っ掛けてラベルを１枚１枚簡単に剥してゆく事ができる。以上の様にラベルを１枚１枚簡単に剥してゆく事ができる。図２では剥離紙４をしごく作業が必要であったが、これを不要とするラベルの剥し方を述べると、図３（イ）、（ロ）の様にラベル配列線６を折ってから剥離紙４の両端部を両手で持って図３（ハ）の様にラベル剥し板３の先端部に乗せ、下方へ強く引く。するとラベル配列線６のところで剥離紙は急に曲るが左右のラベルは曲らないので、各ラベルの端部が少しだけ剥れて剥れ部が生ずる（板厚を３ｍｍとすると、その１／２の１．５ｍｍ位づつ剥れる）。従って、ここに指を当てて１枚１枚ラベルを簡単に剥してゆく事ができる、（この場合、剥れ部が１．５ｍｍ位と小さい為、素手で行なうと良い）。次に図２（ニ）において、図４（イ）の如く磁石７（握り棒８付き）で剥離紙４を固定すれば（ラベル剥し器は鉄製とする）左側のラベルは全て片手で剥す事ができ、磁石７を図４（ロ）の如く反対側へ移して剥離紙を固定すれば右側のラベルは全て片手で剥す事ができる。図３（ハ）においても図４（ハ）の如く磁石７で剥離紙を固定すれば左側のラベルは全て片手で剥す事ができ、図４（ニ）の如く磁石７を反対側へ移して剥離紙を固定すれば右側のラベルは全て片手で剥す事ができる。
ラベルを片手で剥す事ができる為、もう一方の手で封筒などのラベルを貼る商品を手元に取り寄せ、この２つの動作を同時に行う事ができるから、能率が向上する。尚、図４（イ）において、磁石７で押されているラベルを一番最後に剥す様にすれば（左右のラベルをそれ以外の全てのラベルを剥した上で）、左側のラベルを全て剥した上で磁石７を図４（ロ）の様に反対側へ移し替える必要はなくなり、磁石操作が簡単になる（図４（ハ）においても同様である）、この場合、磁石７で固定するラベルは、ラベル剥し器を上方から見た図４（ホ）の様に、隣接するラベルとの境界線が少しラベルが剥れているので目視できるから、このラベルとの境界線を避けて磁石７で固定する様にする（この境界線に磁石を固定するとラベルが２枚共剥れなくなる）。尚、図４（イ）の状態から図４（ロ）の状態へ磁石７を移し替える場合、磁石の方向を変え、右手から左手へ持ち替える必要があるが、図４（へ）の様に握り棒８の両端部に磁石７を備える様にすれば、その必要はなくなる（親指と人差し指で握り棒８を摘む）。図５（イ）は固定具（剥離紙を固定する）として磁石７ではなく両面テープ９で剥離紙を固定してラベルを片手で剥すものであり（剥離紙の裏側面であるから、両面テープは粘着して固定できる）、ラベル剥し板３の所定部（側面上方部）に両面テープ９を貼り付けておき、剥離紙をラベル剥し板３の先端部に乗せてしごき、ラベル端部に剥れ部ができたら（しごきの間に剥離紙が両面テープ９に粘着しない様にＡ−Ａ′線断面を示す図５（ロ）の如く両面テープ９は凹部１０を形成して、ここに貼り付ける様にすると良い。凹部１０の代りに、両面テープ９の両側に小突起を形成しても良い）。剥離紙をこすって両面テープ９に粘着させて固定する。両面テープ９はラベル剥し板３の片面のみでなく両面に備えても良い。両面テープを固定具とする場合は、磁石の様に移し替える必要がない利点がある（図４参照）。更には左右に並ぶラベルを両手により２枚同時に剥す事ができる。
【０００７】  図６（イ）は図１（イ）においてラベル剥し板３に切欠き部１１を形成してラベル剥し板３を板ではあるが棒状としたもので、ラベル剥し板３は両端支持式にしてある（図６（ロ）は片持ち式である）。こうすると、図２（ハ）からも明らかな様に両手で剥離紙をしごく時に両手が互いに接触するまで接近させられるから、剥離紙の曲りがきつくなり、ラベルの剥れが良くなる。切り欠き部１１を通して左右に振り子の様に剥離紙をしごく事ができる。
図６（ハ）は薄いラベル剥し板３でしごいておいて、ラベルを剥離紙から剥れ易い様に浮かせておき、厚いラベル剥し板１２に押し付けて図示の如くラベルの端部に大きな剥れ部ができる様にしたものである。
図６（ニ）はラベル剥し板１３側にあるラベルを使っている間にちょっと空いた瞬間を利用してラベル剥し板１４側に次に使うラベルを用意しておき、ラベル剥し板１４側にあるラベルを使っている間に（ラベル剥し板１３側のラベルは使い終っている）ちょっと空いた瞬間を利用してラベル剥し板１３側に次に使うラベルを用意して、これを繰り返し行なう事によりラベルが使い終った時点で慌てて次のラベルを用意する必要がない様にし（ラベル剥しが間に合わない事がある故）、高能率を達成しようとするものである。図６（ホ）、（ヘ）は図６（ニ）においてラベル剥し板１３、１４を垂直方向に対して傾斜させたもの（図６（ホ）の場合）、水平方向に対して傾斜させたもの（図６（ヘ）の場合）に相当し、ラベル剥し器を前者では垂直方向に重ね、後者では水平方向に重ねてコンパクトに収納、店頭陳列できる様にしたものである。
尚、図５（イ）においてはＡ−Ａ′線断面図を示す図５（ニ）の様に小穴９′を形成しておき、ここから棒を差し込んで両面テープを剥し易い様にする事も考えられる
【図面の簡単な説明】
【０００８】
【図１】  本発明によるラベル剥し器の図。
【図２】  本発明の使用方法の図。
【図３】  本発明の使用方法の図。
【図４】  固定具として磁石を備えたラベル剥し器の使用法の図。
【図５】  本発明によるラベル剥し器の図。
【図６】  本発明によるラベル剥し器の図。
【符号の説明】  １・１′はラベル剥し器、２・２′は板、３・３′はラベル剥し板、４は剥離紙、５はラベル、６はラベル配列線、７は磁石、８は握り棒、９は両面テープ、１０は凹部、１１は切欠き部、１２・１３はラベル剥し板、１４はラベル剥し板、９′は小穴である、図２（ハ）において剥離紙４を両手で引き下げると剥離紙の中央部が伸びる為にその両側は弛みが生じ、両側にあるラベルの剥れが悪くなる、そこで図６（ト）の様にラベル剥し板３の先端部３′の長手方向中央部の高さを僅かに低く構成する。
【図１】
2020197692.tif 000003
【図２】
2020197692.tif 000004
【図３】
2020197692.tif 000005
【図４】
2020197692.tif 000006
【図５】
2020197692.tif 000007
【図６】
2020197692.tif 000008